(57)【要約】      （修正有）【課題】十分なアンテナの利得を維持することができる携帯電子機器を提供する。【解決手段】不平衡給電アンテナと無線回路部７２とを接続した第１状態と、平衡給電アンテナと無線回路部７２とを接続した第２状態とを有し、無線回路部７２で処理される信号の強度に基づいて、前記第１状態と第２状態のいずれか一方を選択する。また、筐体の開閉状態を検出する開閉検出部７３を有し、その検出結果に基づいて、前記第１状態と第２状態のいずれか一方を選択する。【選択図】図３
2010252308.tif 000002
【特許請求の範囲】
【請求項１】
筐体と、
前記筐体に配置され、所定の周波数帯の信号に共振する不平衡給電アンテナと、
前記筐体に配置され、前記所定の周波数帯の信号に共振する平衡給電アンテナと、
前記筐体に配置され、前記所定の周波数帯の信号を処理する信号処理部と、
前記不平衡給電アンテナと前記信号処理部とを接続した第１状態と、前記平衡給電アンテナと前記信号処理部とを接続した第２状態とを選択する選択部と、を有することを特徴とする携帯電子機器。
【請求項２】
前記第１状態において前記信号処理部により処理される信号の強度および前記第２状態において前記信号処理部により処理される信号の強度に基づいて前記第１状態と前記第２の状態のいずれか一方を選択する制御部を有する、ことを特徴とする請求項１に記載の携帯電子機器。
【請求項３】
前記平衡給電アンテナは、前記筐体の一端部に配置され、
前記不平衡給電アンテナは、前記筐体の他端部に配置される、ことを特徴とする請求項１又は請求項２に記載の携帯電子機器。
【請求項４】
前記筐体の一端部には、操作部が配置される、ことを特徴とする請求項３に記載の携帯電子機器。
【請求項５】
前記筐体は、開状態と閉状態との間を移動可能に連結される第１筐体と第２筐体とを有し、
前記開状態及び前記閉状態を検出する検出部を有し、
前記制御部は、前記検出部により前記開状態が検出されると前記選択部により前記第１状態を選択し、前記検出部により前記閉状態が検出されると前記選択部により前記第２状態を選択する、ことを特徴とする請求項１または請求項２に記載の携帯電子機器。
【請求項６】
前記第１筐体に配置された第１導電部と、
前記第２筐体に配置された第２導電部と、
前記信号処理部に接続された給電部及びグランド部と、を有し、
前記不平衡給電アンテナは、前記第１導電部と前記第２導電部のいずれか一方と前記グランド部とを電気的に接続すると共に前記第１の導電部と前記第２の導電部のいずれか他方と前記給電部とを電気的に接続することにより形成されるアンテナである、ことを特徴とする請求項５に記載の携帯電子機器。
【請求項７】
前記平衡給電アンテナは、前記第１導電部と前記第２導電部のいずれか一方の導電部における端部であって前記第１筐体と前記第２筐体とが連結される側とは反対側の端部に対応して、前記第１筐体と前記第２筐体のいずれか一方に配置される、ことを特徴とする請求項６に記載の携帯電子機器。
【発明の詳細な説明】
【技術分野】
【０００１】
本発明は、アンテナにより外部機器と通信を行う携帯電子機器に関する。
【背景技術】
【０００２】
２つの不平衡給電アンテナから一つの不平衡給電アンテナを選択して通信を行う携帯無線機が知られている（特許文献１）。
【先行技術文献】
【特許文献】
【０００３】
【特許文献１】特開２００５−１６７９１２号公報
【発明の概要】
【発明が解決しようとする課題】
【０００４】
しかし、平衡給電アンテナは、筐体の周囲の環境変化に応じて、アンテナの利得が変化しやすい。したがって、特許文献１の技術では、筐体周囲の環境が不平衡給電アンテナの利得を維持する上で適していない状況下では、２つの不平衡給電アンテナから一つの不平衡給電アンテナを選択しても、十分なアンテナの利得を維持することができない、という課題があった。
【０００５】
そこで本発明は、十分なアンテナの利得を維持することができる携帯電子機器を提供することにある。
【課題を解決するための手段】
【０００６】
本発明に係る携帯電子機器は、筐体と、前記筐体に配置され、所定の周波数帯の信号に共振する不平衡給電アンテナと、前記筐体に配置され、前記所定の周波数帯の信号に共振する平衡給電アンテナと、前記筐体に配置され、前記所定の周波数帯の信号を処理する信号処理部と、前記不平衡給電アンテナと前記信号処理部とを接続した第１状態と、前記平衡給電アンテナと前記信号処理部とを接続した第２状態とを選択する選択部と、を有する。
【０００７】
好適には、前記第１状態において前記信号処理部により処理される信号の強度および前記第２状態において前記信号処理部により処理される信号の強度に基づいて前記第１状態と前記第２の状態のいずれか一方を選択する制御部を有する。
【０００８】
好適には、前記平衡給電アンテナは、前記筐体の一端部に配置され、前記不平衡給電アンテナは、前記筐体の他端部に配置される。
【０００９】
好適には、前記筐体の一端部には、操作部が配置される。
【００１０】
好適には、前記筐体は、開状態と閉状態との間を移動可能に連結される第１筐体と第２筐体とを有し、前記開状態及び前記閉状態を検出する検出部を有し、前記制御部は、前記検出部により前記開状態が検出されると前記選択部により前記第１状態を選択し、前記検出部により前記閉状態が検出されると前記選択部により前記第２状態を選択する。
【００１１】
好適には、前記第１筐体に配置された第１導電部と、前記第２筐体に配置された第２導電部と、前記信号処理部に接続された給電部及びグランド部と、を有し、前記不平衡給電アンテナは、前記第１導電部と前記第２導電部のいずれか一方と前記グランド部とを電気的に接続すると共に前記第１の導電部と前記第２の導電部のいずれか他方と前記給電部とを電気的に接続することにより形成されるアンテナである。
【００１２】
好適には、前記平衡給電アンテナは、前記第１導電部と前記第２導電部のいずれか一方の導電部における端部であって前記第１筐体と前記第２筐体とが連結される側とは反対側の端部に対応して、前記第１筐体と前記第２筐体のいずれか一方に配置される。
【発明の効果】
【００１３】
本発明によれば、十分なアンテナの利得を維持することができる携帯電子機器を提供することができる。
【図面の簡単な説明】
【００１４】
【図１】本実施形態に係る携帯電子機器の外観を示す図である。
【図２】本実施形態に係る携帯電子機器を示す図で、（ａ）は開状態を示す図、（ｂ）は閉状態を示す図である。
【図３】本実施形態に係る携帯電子機器の構成を示す機能ブロック図である。
【図４】本実施形態に係る携帯電子機器の構成を示す機能ブロック図である。
【図５】本実施形態に係る携帯電子機器の変形例を示す図で、（ａ）は開状態を示す図、（ｂ）は閉状態を示す図である。
【図６】不平衡給電アンテナのインピーダンス特性を模式的に示す図である。
【図７】本実施形態に係る携帯電子機器の外観を示す図である。
【図８】本実施形態に係る携帯電子機器の内部を示す概念図である。
【図９】本実施形態に係る携帯電子機器の構成を示す機能ブロック図である。
【発明を実施するための形態】
【００１５】
以下、本発明の実施形態について説明する。図１は、携帯電子機器の外観を示す図である。図２（ａ）は携帯電子機器の開状態を示し、図２（ｂ）は携帯電子機器の閉状態を示す。
【００１６】
携帯端末１（携帯電話装置）は、第１筐体２（筐体）と、第２筐体３（筐体）と、を含む。第１筐体２は、第１表面部２０を含む。第１表面部２０は、操作キー群２１（操作部）と、マイク２２とを備えても良い。マイク２２は、携帯端末１の使用者が通話時に発した音声が入力される。操作キー群２１は、機能設定操作ボタン２３、入力操作ボタン２４及び決定操作ボタン２５を含む。機能設定操作ボタン２３は、各種設定や電話帳機能やメール機能等の各種機能を動作させる。入力操作ボタン２４は、電話番号の数字やメール等の文字等を入力する。決定操作ボタン２５は、各種操作における決定やスクロール等を行う。
【００１７】
第２筐体３は、第２表面部３０を含む。第２表面部３０は、ディスプレイ３１、音声出力部３２、撮像部３３及びスピーカ３４を備えても良い。ディスプレイ３１は、各種情報を表示できる。音声出力部３２は、通話の相手側の音声を出力する。撮像部３３は、被写体を撮像するＣＣＤカメラ等を含む。スピーカ３４は、音楽等を外部に出力する。
【００１８】
携帯端末１は、ヒンジ部４を含む。ヒンジ部４は、第１筐体２の上端部と第２筐体３の下端部とを連結する。ヒンジ部４を基点として第１筐体２と第２筐体３とを相対的に回転することにより、第１筐体２と第２筐体３とが互いに開かれた状態（開状態）と、第１筐体２と第２筐体３とが折り畳まれた状態（閉状態）にすることができる。
【００１９】
図３は、携帯電子機器の構成を示すブロック図である。
【００２０】
第２筐体３は、第２導電部６を含む。第２導電部６は、例えば、図示しない回路基板のグランドパターン、シールドケース、第２筐体３を形成する導電部材等を含む。
【００２１】
第１筐体２は、第1導電部５と回路部７と、導電部材８とを備えても良い。
【００２２】
第1導電部５は、例えば、図示しない回路基板のグランドパターン、シールドケース、第１筐体２を形成する導電部材等を含む。
【００２３】
回路部７は、グランド部７０と、給電部７１と、信号処理部となる無線回路部７２と、制御部７５と、検出部となる開閉検出部７３と、第1選択部７４ａ（選択部）、と第２選択部７４ｂ（選択部）とを含む。
【００２４】
グランド部７０は、第1選択部７４ａを介して第1導電部５に接続できる。給電部７１は、第２選択部７４ｂを介して第２導電部６あるいは導電部材８に接続し、給電できる。この給電部７１は、ヒンジ部４付近にあっても良い。しかし、給電部７１の位置は、ヒンジ部４付近に限られない。
【００２５】
図４は、携帯電子機器の構成を示すブロック図である。
【００２６】
無線回路部７２は、アンテナから受信される信号を処理する。この無線回路部７２は、平衡不平衡変換回路部７２０と、第1調整部７２１ａと、第２調整部７２１ｂと、ＲＦ回路７２２とを有する。平衡不平衡変換回路部７２０は、平衡信号を受信した場合（後述する第２アンテナにより信号の受信がされた場合）に、この平衡信号を不平衡信号に変換する。第1調整部７２１ａは、導電部材８から受信される信号のインピーダンスを調整する。第２調整部７２１ｂは、第２導電部６から受信される信号のインピーダンスを調整する。開閉検出部７３は、携帯端末１の開状態と閉状態とを検出する。
【００２７】
制御部７５は、開閉検出部７３、第1選択部７４ａ、第２選択部７４ｂ、及び無線回路部７２に接続されて、開閉検出部７３により検出された携帯端末１の開状態又は閉状態の検出に基づいて第1選択部７４ａ及び第２選択部７４ｂを制御し、無線回路部７２が生成した信号データを通話の処理に供する。
【００２８】
導電部材８は、第２選択部７４ｂを介して、給電部７１に接続し、給電部７１から給電が可能となる。この導電部材８は、コイル部材等によりループ状に形成されている。給電部７１により給電されると、導電部材８はループアンテナ（平衡給電アンテナ）として機能する。この導電部材８は、第１筐体２の端部、すなわち、第１筐体２における給電部７１が配置されるヒンジ部４側とは反対側の端部に配置される。ただし、導電部材８の配置は、この配置に限定されるものではない。
【００２９】
第1選択部７４ａは、開閉検出部７３の検出結果に基づいた制御部７５からの指示により、第1導電部５とグランド部７０との接続と切断を行う。第２選択部７４ｂは、開閉検出部７３の検出結果に基づいた制御部７５からの指示により、第２導電部６と導電部材８との接続の切り替えを行う。第1選択部７４ａ及び第２選択部７４ｂは、第２導電部６と給電部７１とを接続させ、第1導電部５とグランド部７０とを接続させた状態と、導電部材８と給電部７１とを接続させ、第1導電部５とグランド部７０との接続を解除した状態とを選択することが可能である。
【００３０】
このように、給電部７１により第２導電部６に給電した場合には、この給電された第２導電部６とグランド部７０に接続される第1導電部５が電気的に接続されることにより、第２導電部６が第1アンテナの放射素子として機能し、第1導電部５がアンテナの第1グランドとして機能することで、第1アンテナとなる。この第1アンテナは、所定の周波数帯の信号に共振するダイポールアンテナ（不平衡給電アンテナ）であり、無線回路部７２に接続された状態（第１状態）となる。
【００３１】
第1アンテナの放射素子側（第２筐体３側）から受信された信号は、無線回路部７２の調整部７２１により、信号のインピーダンスが調整される。次に、ＲＦ回路７２２により、データとして利用可能な状態に信号が調整される。次に、調整された信号は、制御部７５により、通話の処理に供される。
【００３２】
一方、給電部７１により導電部材８に給電した場合には、導電部材８が第２アンテナの放射素子として機能することで、第２アンテナとなる。この第２アンテナは、所定の周波数帯の信号に共振するループアンテナ（平衡給電アンテナ）を構成し、無線回路部７２に接続された状態（第２状態）となる。
【００３３】
第２アンテナの放射素子側（第１筐体２側）から受信された信号は、無線回路部７２の平衡不平衡変換回路部７２０により、平衡信号が不平衡信号に変換される。次に、調整部７２１により、信号のインピーダンスが調整される。次に、ＲＦ回路７２２により、データとして利用可能な状態に信号が調整される。次に、調整された信号は、制御部７５により、通話の処理に供される。
【００３４】
携帯端末１は、２つのアンテナを含み、携帯端末１の開閉状態に応じて、以下のように動作する。以下、動作の例として、＜動作１＞および＜動作２＞をそれぞれ示す。
＜動作１＞
携帯端末１が開状態の時には、第1アンテナにより通信が行われる。詳細には、開状態が開閉検出部７３により検出され、制御部７５により、第1選択部７４ａ及び第２選択部７４ｂを第１状態に切り替える。選択部７４が第1状態に切り替えられると、給電部７１と第２導電部６、及びグランド部７０と第1導電部５が接続される。そして、給電部７１により給電された第２導電部６とグランド部７０に接続された第1導電部５とが電気的に接続され、第1アンテナにより信号の受信が可能となる。
【００３５】
携帯端末１が閉状態の時には、第1アンテナと第２アンテナとから受信する信号の強度を比較し、強度が高いアンテナで通信が行われる。
【００３６】
詳細には、閉状態を検知した開閉検出部７３による状態検知結果に基づいて、制御部７５が、まず、第1選択部７４ａ及び第２選択部７４ｂを第1状態に切り替える。よって、給電部７１及び第２導電部６、並びにグランド部７０及び第1導電部５が接続される。次に、給電部７１により給電された第２導電部６とグランド部７０に接続された第1導電部５とが電気的に接続され、第1アンテナが信号を受信する。
【００３７】
また、制御部７５は、第1選択部７４ａ及び第２選択部７４ｂを第２状態に切り替える。第２状態に切り替えられることにより、給電部７１と導電部材８とが接続され、第1導電部５とグランド部７０との接続が解除される。そして、給電部７１と導電部材８とが電気的に接続され、第２アンテナが信号を受信する。
【００３８】
第1アンテナと第２アンテナから受信された信号は、無線回路部７２において処理され、制御部７５により、受信の信号の強度が比較される。
【００３９】
もし、第２アンテナからの受信の信号の強度が強い場合には、制御部７５が第1選択部７４ａ及び第２選択部７４ｂを第２状態に切り替える。第２状態に切り替えられることにより、給電部７１と導電部材８とが接続され、第1導電部５とグランド部７０との接続が解除される。そして、給電部７１と導電部材８とが電気的に接続され、第２アンテナにより信号が受信される。
【００４０】
もし、第1アンテナからの受信の信号の強度が強い場合には、制御部７５が選択部７４を第1状態に切り替える。そして、給電部７１により給電された第２導電部６とグランド部７０に接続された第1導電部５とが電気的に接続され、第1アンテナにより信号が受信される。
＜動作２＞
携帯端末１が開状態の時には、第1アンテナにより通信が行われる。詳細には、開閉検出部７３により開状態が検出されると、制御部７５により、第1選択部７４ａ及び第２選択部７４ｂが制御され、第１状態が選択される。第１状態が選択されると、給電部７１と第２導電部６とが接続されると共に、グランド部７０と第1導電部５とが接続される。これにより、給電部７１により給電された第２導電部６と、グランド部７０に接続された第1導電部５とが、無線回路部７２に接続され、第1アンテナを構成する。第１アンテナは、所定の周波数帯の信号（通話信号）の送受信を可能とする。
【００４１】
携帯端末１が閉状態の時には、第２アンテナにより通信が行われる。詳細には、閉状態が開閉検出部７３により検出されると、制御部７５により、第1選択部７４ａ及び第２選択部７４ｂが制御され、第２状態が選択される。第２状態が選択されると、給電部７１に接続された導電部材８が無線回路部７２に接続され、第1導電部５とグランド部７０との接続が解除され、第２アンテナを構成する。第２アンテナは、所定の周波数帯の信号（通話信号）の送受信を可能とする。
【００４２】
また、携帯端末１は、開状態の時に、第1アンテナと第２アンテナとから受信する信号の強度を比較し、強度が高いアンテナで通信が行うように構成してもよい。
【００４３】
詳細には、開状態を検知した開閉検出部７３による状態検知結果に基づいて、制御部７５が、まず、第1選択部７４ａ及び第２選択部７４ｂを制御して、第１状態を選択する。よって、給電部７１と第２導電部６とが接続され、グランド部７０と第1導電部５とが接続され、第1アンテナが信号を受信する。無線回路部７２は、第１アンテナにより受信された信号を処理する。
【００４４】
その後、制御部７５は、第1選択部７４ａ及び第２選択部７４ｂを制御して、第２状態を選択する。よって、給電部７１と導電部材８とが接続され、第1導電部５とグランド部７０との接続が解除され、第２アンテナが信号を受信する。無線回路部７２は、第２アンテナにより受信された信号を処理する。
【００４５】
無線回路部７２において処理された第1アンテナにより受信された信号及び第２アンテナにより受信された信号は、制御部７５により、信号の強度が比較される。
【００４６】
もし、第1アンテナからの受信の信号の強度が強い場合には、制御部７５は第1選択部７４ａ及び第２選択部７４ｂを制御して、第１状態を選択する。すなわち、第1アンテナにより信号が受信される。
【００４７】
一方、第２アンテナからの受信の信号の強度が強い場合には、制御部７５は第１選択部７４ａ及び第２選択部７４ｂを制御して第２状態を選択する。すなわち、第２アンテナにより信号を受信する。
【００４８】
このように、携帯端末１は、制御部７５による制御によって、開閉検出部７３が開状態を検出すると、第１状態を選択し、開閉検出部７３が閉状態を検出すると第２状態を選択する。
【００４９】
開状態では、第１アンテナを利用できるため、第１筐体２に配置された第１の導電部５及び第２筐体３に配置された第２の導電部６を有効活用して信号の受信が可能となる。
【００５０】
また、閉状態では、第２アンテナを利用できるため、第１筐体２に高周波電流が流れに難くなる。よって、第１筐体２と第２筐体３に流れる高周波電流の打ち消し合いを低くすることができるため、閉状態においてアンテナの利得を良好に保つことができる。
【００５１】
また、制御部７５が、第1状態における無線回路部７２により処理される信号の強度と第２状態における無線回路部７２により処理される信号の強度を比較し、その結果に基づいて、第1状態と第２状態との選択を制御するため、アンテナの利得をさらに良好に保つことができる。
【００５２】
携帯端末１は、平衡給電アンテナとして機能する導電部材８を、第1導電部５の端部であって第１筐体２と第２筐体３とが連結されるヒンジ部４側とは反対側の端部に配置しても良い。
【００５３】
図５は、不平衡給電アンテナのインピーダンス特性を模式的に示す。図５で、実線は、図中の携帯電話装置１の長さ方向の位置に対応する電圧の分布を示している。破線は、図中の携帯電話装置１の長さ方向の位置に対応する電流の分布を示している。また、実線および下線と、携帯電話装置１との間に示された図は、携帯電話装置１の長さ方向における電気回路のイメージを示すものである。第１のアンテナを使用する場合、第２の導電部６と第１の導電部５とを電気的に接続して信号を受信する。つまり、ダイポールアンテナとして機能するために、アンテナのインピーダンスの特性については、不平衡給電アンテナのインピーダンスの特性を有する。
【００５４】
不平衡給電アンテナでは、給電部７１のインピーダンスに対して、第1アンテナを構成する要素（第1アンテナの放射素子、あるいは第1アンテナのグランド）の開放端におけるインピーダンスが高い状態になることにより、定在波が形成されて、アンテナの利得を良好に保てる。しかし、給電部７１のインピーダンスに対して、第1アンテナの放射素子、あるいは第1グランドの先端におけるインピーダンスが低い状態になると、アンテナの利得が低下する。
【００５５】
このような不平衡給電アンテナの特性に鑑みて、携帯端末１は、アンテナのグランドとなる第1導電部５の端部に平衡給電アンテナの放射素子となる導電部材８を配置した。これにより、第1アンテナの要素の開放端に不平衡給電アンテナに比べて、インピーダンスが高い特性がある平衡給電アンテナの放射素子が配置されているために、第1アンテナのグランドの開放端をインピーダンスが高い状態にしておける。よって、開状態において、第1アンテナを利用した場合のアンテナの利得を向上できる。 
【００５６】
上記で、給電部７１はヒンジ部４にあるが、これに限られない。給電部７１は、アンテナの放射素子と位置関係により、アンテナの利得を考慮して有効的な位置に配置すれば良い。例えば、第２アンテナの利得を重視する場合には、第２アンテナの放射素子である導電部材８に、より近い位置にあっても良い。
【００５７】
上記で、不平衡給電アンテナと平衡給電アンテナによる通信を、ダイバシティ方式の１態様である、アンテナの利得を考慮して選択的に行ったが、これに限られない。通信方式は、２つのアンテナによる信号受信を有効に行うように構成されれば良く、例えば、不平衡給電アンテナと平衡給電アンテナにより受信した信号を合成し、信号を調整して通信を行うようにしても良い。
【００５８】
上記で、平衡給電アンテナとなる第２アンテナを、導電部材８をループ状に形成したループアンテナとしたが、これに限られない。平衡給電アンテナとして機能すればよく、例えば、折り返しダイポールアンテナ等であっても良い。
【００５９】
上記で、給電部７１、グランド部７０及び無線回路部７２を第１筐体２に配置したが、第２筐体３に配置しても良い。
【００６０】
上記で、平衡給電アンテナの放射素子である導電部材８を第１筐体２に配置したが、第２筐体３に配置しても良い。さらに、給電部７１、グランド部７０及び無線回路部７２と同一の筐体に配置しなくても良い。
【００６１】
上記で、第１アンテナは、給電部７１により給電された第２導電部６と、グランド部７０に接続された第１導電部５とを有するアンテナであったが、給電部７１により給電された第１導電部５と、グランド部７０に接続された第２導電部６とを有するアンテナであってもよい。
【００６２】
上記で、通話の処理に供する周波数帯の信号を受信したが、これに限られない。受信される信号は、メールに利用する信号や、地上デジタル放送に利用される信号であっても良い。
【００６３】
図６（ａ）及び（ｂ）は、携帯電子機器１０１を示す。具体的には、図６（ａ）は携帯電子機器１０１の開状態を示し、図６（ｂ）は携帯電子機器の閉状態を示す。
【００６４】
携帯端末１０１は、スライド方式である。スライド方式では、第１筐体２の第１表面部２０が露出した状態（図６（ａ））と、第１筐体２の第１表面部２０が第２筐体３に覆われた閉状態（図６（ｂ））とを遷移できる。
【００６５】
本スライド方式の携帯端末１０１において、第１筐体２が給電部７１と導電部材８を含む。図示してないが、図１乃至図５と同じように、第１アンテナと第２アンテナとを含む。そして、閉状態では、第２アンテナが使用され、開状態では第２アンテナが使用される。
【００６６】
上記で、携帯端末１は、折り畳み方式又はスライド方式であったが、これに限られない。携帯端末１は、第１筐体の表面が第２筐体から露出したり、覆われたりする形態に変化可能であれば良く、例えば、第１筐体２と第２筐体３との重ね合わせに沿う軸線を中心に一方の筐体を回転させるようにした回転方式等であっても良い。
【００６７】
携帯電子機器の一例として携帯端末１を適用したが、これに限定されるものではなく、例えば、ＰＨＳ、ＰＤＡ、ポータブルナビゲーション装置、ノートパソコン等であっても良い。
【００６８】
次に、本発明に係る第２の実施形態について説明する。図７及び図８により、携帯電子機器としての携帯電話機１０００における基本構造について説明する。なお、上述の実施形態における構成と同一のものについては、上述の実施形態と同一の名称および同一の符号を用いて、以下の実施形態を説明するものとする。
【００６９】
図７は、携帯電話機における正面側を説明するための斜視図である。図８は、携帯電話機１０００の内部構造を説明するための概念図である。
【００７０】
図７及び図８に示すように、携帯電話機１は、筐体２００を備える。
【００７１】
図７に示すように、携帯電話機１は、筐体２００の前面に配置される操作部１１０と、表示部２１０と、マイク２２０、スピーカ２３０と、とを備える。
【００７２】
操作部１１０は、複数のキーを有して構成される。操作部１１０は、各種設定機能や辞書機能やメール機能等の各種機能を作動させるための機能設定操作キー１３０と、数字や文字を入力するための入力操作キー１４０と、各種操作における決定やスクロール等を行う決定操作キー１５０とを有して構成される。操作部１１０を構成するキー群は、筐体２００における該筐体２の長手方向Ｙにおける一端部に配置される。操作部１１は、各種入力を検知する。
【００７３】
表示部２１０は、例えば、液晶ディスプレイや有機ＥＬ（Ｅｌｅｃｔｒｏｌｕｍｉｎｅｓｃｅｎｃｅ）ディスプレイ等から構成される。表示部２１は、筐体２の長手方向Ｙにおける他端部に配置される。表示部２１０は、操作部１１０を構成するキー群と長手方向Ｙにおいて並んで配置される。
【００７４】
表示部２１０は、通話の相手側の電話番号やメールアドレス、及びメールの内容等の各種情報（文字情報や画像情報）を表示する。
【００７５】
マイク２２０は、筐体２の長手方向Ｙにおける一端部に配置される。マイク２２０は、携帯電話機１０００の使用者が通話時に発した音声を入力するために用いられる。
【００７６】
スピーカ２３０は、筐体２の長手方向Ｙにおける他端側に配置される。スピーカ２３０は、通話の相手側の音声を出力する。
【００７７】
図８に示すように、携帯電話機１０００は、筐体２００の内部に、不平衡給電アンテナの一例であるモノポールアンテナ７０と、平衡給電アンテナの一例であるループアンテナ８０と、を備える。
【００７８】
モノポールアンテナ７０は、筐体２００の長手方向Ｙにおける他端部に配置される。また、モノポールアンテナ７０は、筐体２００の厚さ方向Ｚにおいて、表示部２１０に対向して配置される。また、モノポールアンテナ７０は、所定の周波数帯の信号に共振する。
【００７９】
ループアンテナ８０は、筐体２００の長手方向Ｙにおける一端部に配置される。また、ループアンテナ７０は、筐体２００の厚さ方向Ｚにおいて、操作部１１０に対向して配置される。また、ループアンテナ８０は、所定の周波数帯の信号に共振する。
【００８０】
図９は、携帯電子機器の構成を示すブロック図である。筐体２００は、回路部７００を有する。回路部７００は、信号処理部を構成する無線回路部７２００と、制御部７５０と、検出部７３０と、第３選択部７４０ａ（選択部）、と第４選択部７４０ｂ（選択部）とを含む。
【００８１】
無線回路部７２００は、アンテナから受信される信号を処理する。この無線回路部７２００は、上述の実施携帯における無線回路部７２と同様に、平衡不平衡変換回路部７２０と、第1調整部７２１ａと、第２調整部７２１ｂと、ＲＦ回路７２２とを有する。平衡不平衡変換回路部７２０は、平衡信号を受信した場合（ループアンテナ８０により信号の受信がされた場合）に、この平衡信号を不平衡信号に変換する。
【００８２】
検出部７３０は、無線回路部７２００によって処理される信号であってモノポールアンテナ７０により受信されたものの強度および無線回路部７２００によって処理される信号であってループアンテナ８０により受信されたものの強度を検出する。
【００８３】
制御部７５０は、検出部７３０、第３選択部７４０ａ、第４選択部７４０ｂ、及び無線回路部７２００に接続されて、検出部７３０により検出された信号の強度に基づいて、第３選択部７４０ａ及び第４選択部７４０ｂを制御し、無線回路部７２００が生成した信号データを通話等の通信処理を行う。
【００８４】
第３選択部７４０ａは、検出部７３０の検出結果に基づいた制御部７５０からの指示により、モノポールアンテナ７０と無線回路部７２０との接続又は切断を行う。
【００８５】
第４選択部７４０ｂは、検出部７３の検出結果に基づいた制御部７５０からの指示により、ループアンテナ８０と無線回路部７２０との接続又は切断を行う。
【００８６】
したがって、第３選択部７４０ａ及び第４選択部７４０ｂは、制御部７５０の制御のもと、モノポールアンテナと無線回路部７２０とを接続させた状態（第１状態）と、ループアンテナ８０と無線回路部７２０とを接続させた状態（第２状態）とを選択することが可能である。
【００８７】
第１の状態が選択された場合には、モノポールアンテナ７０により信号が受信され、受信された信号は、調整部７２１により、信号のインピーダンスが調整される。次に、ＲＦ回路７２２により、データとして利用可能な状態に信号が調整される。次に、調整された信号は、制御部７５０により、通話等の通信処理に供される。
【００８８】
一方、第２の状態が選択された場合には、ループアンテナ８０により信号が受信され、受信された信号は、平衡不平衡変換回路部７２０により、平衡信号が不平衡信号に変換される。次に、調整部７２１により、信号のインピーダンスが調整される。次に、ＲＦ回路７２２により、データとして利用可能な状態に信号が調整される。次に、調整された信号は、制御部７５０により、通話等の通信処理に供される。
【００８９】
このように、携帯電話機１０００は、モノポールアンテナ７０とループアンテナ８０とを有し、制御部７５０の制御のもと、以下のように動作する。
【００９０】
携帯電話機１０００は、定期的に（例えば、数十秒ごとに）、あるいはユーザによる操作部１１０への操作に応じて、制御部７５０が第３選択部７４０ａ及び第４選択部７４０ｂを介して、モノポールアンテナ７０と無線回路部７２０とを接続させた状態（第１状態）と、ループアンテナ８０と無線回路部７２０とを接続させた状態（第２状態）とを選択する。
【００９１】
次に、制御部７５０は、第１状態と第２状態のそれぞれの状態のもとで、モノポールアンテナ７０及びループアンテナ８０とから信号を受信すると共に、検出部７３０により、それら受信した信号の強度を比較する。そして、信号の強度が高いアンテナが無線回路部７２０に接続された状態を選択し、その後、その選択されたアンテナを用いて通話等の通信処理を行う。
【００９２】
詳細には、第１状態においてモノポールアンテナ７０により受信されて無線処理部７２００により処理される信号の強度が、第２状態においてループアンテナ８０により受信されて無線処理部７２００により処理される信号の強度よりも高い場合には、制御部７５０は、第３選択部７４０ａ及び第４選択部７４０ｂを介して第１状態を選択する。そして、モノポールアンテナ７０によって受信された信号により通話等の通信処理を行う。
【００９３】
一方、第２状態においてループアンテナ８０により受信されて無線処理部７２００により処理される信号の強度が、第１状態においてモノポールアンテナ７０により受信されて無線処理部７２００により処理される信号の強度よりも高い場合には、制御部７５０は、第３選択部７４０ａ及び第４選択部７４０ｂを介して第２状態を選択する。そして、ループアンテナ８０によって受信された信号により通話等の通信処理を行う。
【００９４】
このように、携帯電話機１０００は、制御部７５０による制御によって、第１状態および第２状態を選択し、それぞれの状態において、通話等の通信処理を行うことができる。
【００９５】
したがって、不平衡給電アンテナ及び平衡給電アンテナのいずれか一方のアンテナにより信号を受信することができ、アンテナ利得の維持を図りやすい。
【００９６】
また、制御部７５０による制御によって、定期的に（例えば、数十秒ごとに）、あるいはユーザによる操作部１１０への操作に応じて、第１状態と第２状態を所定の条件に応じて選択し、第１状態及び第２状態のそれぞれの状態における
信号の強度に基づいて、第１状態と第２状態のいずれか一方を選択することができるため、アンテナ利得の維持をさらに図りやすくなる。
【００９７】
また、制御部７５０は、第１状態及び第２状態のそれぞれの状態における信号のＳ／Ｎ比に基づいて、第１状態と第２状態のいずれか一方を選択するよう構成してもよい。
【００９８】
また、筐体２００が、上述の実施形態と同様に、開閉可能な複数の筐体を有する場合においては、制御部７５０が、筐体２００の周囲の環境に変化の生じにくい開状態においては不平衡給電アンテナによる通信が可能な第１状態を選択し、筐体２００の周囲の環境に変化の生じやすい閉状態においては平衡給電アンテナによる通信が可能な第２状態を選択するように構成してもよい。このような構成にすれば、開状態においては、広帯域にわたってアンテナの利得の維持を図ることができ、閉状態においては、周囲の環境の変化に伴ってアンテナの利得の低下が抑制される。
【００９９】
また、モノポールアンテナ７０とループアンテナ８０とは、筐体２００の長手方向Ｙにおける両端部にそれぞれ配置されているため、それぞれのアンテナと筐体２００の内部に配置されるその他の部材（基板や電子部品）との距離が離間される。したがって、それぞれのアンテナの利得は確保されやすい。
【０１００】
なお、同様の理由で、図９に示すように、モノポールアンテナ７０とループアンテナ８０とは、筐体２００の幅方向Ｘにおける両端部にそれぞれ配置されていてもよいし、筐体２００の厚さ方向Ｚにおける両端部にそれぞれ配置されていてもよい。
【０１０１】
また、操作時におけるユーザの手や、通話時におけるユーザの顔など、筐体２００の長手方向Ｙにおける両端部におけるいずれか一方に人体が近接し、いずれか他方には、その一方に比べて人体が近接していない場合も想定される。その場合には、いずれか他方に配置されたアンテナにより信号を受信して通信処理を行うように構成すれば、人体に起因するアンテナの利得の低下が好適に抑制される。
【０１０２】
例えば、操作部１１に対して操作がなされた場合には、操作部１１が配置された筐体２００の一端部に対して人体（手）が近接していることが想定されるため、制御部７５０が第３選択部７４０ａ及び第４選択部７４０ｂを制御して、第１状態を選択し、筐体２００の他端部に配置されたモノポールアンテナ７０により信号を受信して、その後の通信処理を行う構成が好ましい。
【０１０３】
また同様に、通話がなされている場合には、スピーカ２３０が配置された筐体２００の他端部に対して人体（顔）が近接していることが想定されるため、制御部７５０が第３選択部７４０ａ及び第４選択部７４０ｂを制御して、第２状態を選択し、筐体２００の一端部に配置されたループアンテナ７００により信号を受信して、その後の通信処理を行う構成も好ましい。
【０１０４】
ところで、操作部１１に対して操作がなされる頻度と、通話が行われる頻度とを比較すると、一般的には前者の頻度の方が後者の頻度に比べて高いと考えられる。したがって、人体が筐体２００に近接する頻度は、操作部１１が設けられた一端部の方が他端部に比べて高いものと想定される。そこで、携帯電話機１０００は、筐体２００の周囲の環境変化が生じやすい（人体が近接しやすい）一端部に、モノポールアンテナ７０に比べて周囲の環境変化に比較的強いループアンテナ８０を配置した。これにより、高頻度で操作部１１がユーザにより操作された場合であっても、アンテナ利得の維持を図ることが容易となる。
【０１０５】
なお、本発明は、第２実施形態に開示の構成には限定されず、種々のバリエーションもその要旨に含む。たとえば、ループアンテナは平衡給電アンテナの一例であり、その他のアンテナであってもよい。また、モノポールアンテナ不平衡給電アンテナの一例であり、その他のアンテナ（ダイポールアンテナ、逆Ｆアンテナなど）であってもよい。
【符号の説明】
【０１０６】
１      携帯電子機器（携帯電話装置）
２      第１筐体（操作部側筐体部）
３      第２筐体（表示部側筐体部）
５      第１導電部
６      第２導電部
７０    グランド部
７１    給電部
７２    信号処理部（無線回路部）
７３    検出部（開閉検出部）
７４    選択部（第１選択部、第２選択部） 
７５    制御部 
【図１】
2010252308.tif 000003
【図２】
2010252308.tif 000004
【図３】
2010252308.tif 000005
【図４】
2010252308.tif 000006
【図５】
2010252308.tif 000007
【図６】
2010252308.tif 000008
【図７】
2010252308.tif 000009
【図８】
2010252308.tif 000010
【図９】
2010252308.tif 000011